(57)【要約】ハンドル２と、ピペット４を据え付けるための支持アセンブリ３とを具備するハウジング１を備えるピペッティング装置であって、ハウジング１の端部７に、球形レースウェイ１６を備え、ピペット４の軸線が向いている角度をハンドル２と関係する全ての平面上で変更するために、該球形レースウェイ１６上を摺動することが可能な連結アセンブリ１７が、該球形レースウェイ１６にピペット４の支持アセンブリ３を据え付けるために用いられているものである。連結アセンブリ１７は、ハウジング１の端部７で球形レースウェイ１６の矩形開口部１９内に摺動可能に取り付けられる第一摺動部１８と、該第一摺動部１８の矩形開口部２１内に摺動可能に取り付けられる第二摺動部２０とを備えている。
2006513842.tif 000002
【特許請求の範囲】
【請求項１】
ハウジングとハンドルとを備え、ピペット内に液体を吸引するため及び該ピペットから液体を分注するためのピペッティング装置であって、
ハウジング１の端部７に、円筒形レースウェイ８を備え、
ピペット４の軸線が向いている角度をハンドル２と関係する一平面上で変更するために、該円筒形レースウェイ８上を摺動することが可能な連結アセンブリ９が、
該円筒形レースウェイ８にピペット４の支持アセンブリ３を据え付けるために用いられていることを特徴とするピペッティング装置。
【請求項２】
連結アセンブリ９が、ハウジング１の端部７で円筒形レースウェイ８の矩形開口部１１内に摺動可能に取り付けられる摺動部１０を備えているものである請求項１記載のピペッティング装置。
【請求項３】
摺動部１０が、ピペット４の支持アセンブリ３と空気チューブ１３とに接続される接続部１２を備えているものである請求項２記載のピペッティング装置。
【請求項４】
支持アセンブリ３のキャップ１５が、ハンドル２に関係付けられるピペット４の定着位置で、ハウジング１の端部７にて円筒形レースウェイ８に押し付けられるものである請求項１記載のピペッティング装置。
【請求項５】
ハウジングとハンドルとを備え、ピペット内に液体を吸引するため及び該ピペットから液体を分注するためのピペッティング装置であって、
ハウジング１の端部７に、球形レースウェイ１６を備え、
ピペット４の軸線が向いている角度をハンドル２と関係する全ての平面上で変更するために、該球形レースウェイ１６上を摺動することが可能な連結アセンブリ１７が、
該球形レースウェイ１６にピペット４の支持アセンブリ３を据え付けるために用いられていることを特徴とするピペッティング装置。
【請求項６】
連結アセンブリ１７が、ハウジング１の端部７で球形レースウェイ１６の矩形開口部１９内に摺動可能に取り付けられる第一摺動部１８を備えているものである請求項５記載のピペッティング装置。
【請求項７】
連結アセンブリ１７が、第一摺動部１８の矩形開口部２１内に摺動可能に取り付けられる第二摺動部２０を備えているものである請求項６記載のピペッティング装置。
【請求項８】
第一摺動部１８の矩形開口部２１の主軸線が、ハウジング１の端部７で球形レースウェイ１６の矩形開口部１９の主軸線に直交するものである請求項７記載のピペッティング装置。
【請求項９】
第二摺動部２０が、ピペット４の支持アセンブリ３と空気チューブ１３とに接続される接続部１２を備えているものである請求項７記載のピペッティング装置。
【請求項１０】
支持アセンブリ３のキャップ１５（the cap (9) は the cap (15) の誤記）が、ハンドル２に関係付けられるピペット４の定着位置で、ハウジング１の端部７にて球形レースウェイ１６に押し付けられるものである請求項５記載のピペッティング装置。
【発明の詳細な説明】
【技術分野】
【０００１】
本発明は、ピペット内に液体を吸引するため及び該ピペットから液体を分注するためのピペッティング装置に関する。
【背景技術】
【０００２】
ピペット内に液体を吸引するため及び該ピペットから液体を分注するためのピペッティング装置としては、例えばドイツ特許公報第３８１８７０４号、あるいは米国特許公報第３９６３０６１号、第４６２４１４７号及び第６２４０７９１号などに記載されたピペッティング装置が知られている。これらのピペッティング装置は、通例、ハンドルをなす部分と、ピペットの支持アセンブリが一般に直立状に据え付けられる残りのスリーブ形状の部分とから構成される直角縦断面形状のハウジングを備える。さらに、かかる装置は、いずれもハンドルに据え付けられる液体吸引ボタンと液体分注ボタンとを備えている。
【発明の開示】
【課題を解決するための手段】
【０００３】
本発明は、ハウジングとハンドルとを備え、ピペット内に液体を吸引するため及び該ピペットから液体を分注するためのピペッティング装置であって、ハウジングの端部に、円筒形レースウェイを備え、ピペットの軸線が向いている角度をハンドルと関係する一平面上で変更するために、該円筒形レースウェイ上を摺動することが可能な連結アセンブリが、該円筒形レースウェイにピペットの支持アセンブリを据え付けるために用いられているものである。
【０００４】
連結アセンブリは、ハウジングの端部で円筒形レースウェイの矩形開口部内に摺動可能に取り付けられる摺動部を備えていることが好ましい。
【０００５】
摺動部が、ピペットの支持アセンブリと空気チューブとに接続される接続部を備えていることが好ましい。
【０００６】
支持アセンブリのキャップは、ハンドルに関係付けられるピペットの定着位置で、ハウジングの端部にて円筒形レースウェイに押し付けられることが好ましい。
【０００７】
本発明の変形例は、ハウジングとハンドルとを備え、ピペット内に液体を吸引するため及び該ピペットから液体を分注するためのピペッティング装置であって、ハウジングの端部に、球形レースウェイを備え、ピペットの軸線が向いている角度をハンドルと関係する全ての平面上で変更するために、該球形レースウェイ上を摺動することが可能な連結アセンブリが、該球形レースウェイにピペットの支持アセンブリを据え付けるために用いられているものである。
【０００８】
連結アセンブリは、ハウジングの端部で球形レースウェイの矩形開口部内に摺動可能に取り付けられる第一摺動部を備えていることが好ましい。
【０００９】
連結アセンブリは、第一摺動部の矩形開口部内に摺動可能に取り付けられる第二摺動部を備えていることが好ましい。
【００１０】
第一摺動部の矩形開口部の主軸線が、ハウジングの端部で球形レースウェイの矩形開口部の主軸線に直交していることが好ましい。
【００１１】
第二摺動部は、ピペットの支持アセンブリと空気チューブとに接続される接続部を備えていることが好ましい。
【００１２】
支持アセンブリのキャップは、ハンドルに関係付けられるピペットの定着位置で、ハウジングの端部にて球形レースウェイに押し付けられることが好ましい。
【発明の効果】
【００１３】
本発明による解決手段により、ピペット支持アセンブリに据え付けられたピペットの軸線が向いている角度を、ハンドルと関係する一平面上で又は全ての平面上で変更することが可能となる。
【発明を実施するための最良の形態】
【００１４】
添付図面に明示された本発明にかかる最良の実施形態例を、以下に詳細にわたって説明する。
【００１５】
図１及び図２に示されたピペッティング装置は、ハンドル２と、ピペット４を据え付けるための支持アセンブリ３とを具備するハウジング１を備える。ハンドル２には、ピペット４への空気の流れを制御する液体吸引ボタン５と液体分注ボタン６とが夫々配設されている。一方、ハウジング１の端部７には、その表面が円筒表面の一部分となる円筒形レースウェイ８が備えられている。ピペット４の支持アセンブリ３は、連結アセンブリ９を用いることにより円筒形レースウェイ８に据え付けられており、該連結アセンブリ９は、ピペット４の軸線が向いている角度をハンドル２と関係する一平面上で変更するために、ハウジング１の端部７に配設される円筒形レースウェイ８上を摺動することが可能となっている。これを達成するために、該連結アセンブリ９は、ハウジング１の端部７に配設される円筒形レースウェイ８の矩形開口部１１内に摺動可能に取り付けられる摺動部１０を備えている。ここで、該摺動部１０の形状は、円筒形レースウェイ８の表面に適合するものであることが好ましく、また摺動部１０が上面を摺動する円筒形レースウェイ８の矩形開口部１１の主軸線は、ピペット４の軸線及びハンドル２の軸線と同一の平面上に位置することが好ましい。
【００１６】
さらに、連結アセンブリ９は、摺動部１０の中央に位置し、かつピペット４の支持アセンブリ３と空気チューブ１３とに接続される接続部１２を備えており、また該連結アセンブリ９は、支持アセンブリ３に近接する下端側に、雄ネジを有する円筒部１４を備えている。ピペット４の支持アセンブリ３は、連結アセンブリ９の円筒部１４にネジ締めされる雌ネジを有するキャップ１５を用いることによって、ハウジング１の端部７にある円筒形レースウェイ８に据え付けられる。支持アセンブリ３のキャップ１５は、ハンドル２に関係付けられるピペット４の定着位置で、固くネジ締めされることによって、ハウジング１の端部７にて円筒形レースウェイ８に押し付けられる。
【００１７】
図３及び図４に示された本発明にかかるピペッティング装置の変形例においては、ハウジング１の端部７に、その表面が球体表面の一部分となる球形レースウェイ１６が備えられている。ピペット４の支持アセンブリ３は、図１及び図２に示されたピペッティング装置の連結アセンブリ９に比して改良されている連結アセンブリ１７を用いることにより、球形レースウェイ１６に据え付けられており、該連結アセンブリ１７は、ピペット４の軸線が向いている角度をハンドル２と関係する全ての平面上で変更するために、ハウジング１の端部７に配設される球形レースウェイ１６上を摺動することが可能となっている。この目的を達成するために、該連結アセンブリ１７は、ハウジング１の端部７に配設される球形レースウェイ１６の矩形開口部１９内に摺動可能に取り付けられる第一摺動部１８を備えている。ここで、第一摺動部１８の形状は、ハウジング１の端部７に配設される球形レースウェイ１６に適合するものであることが好ましい。また、該連結アセンブリ１７は、第一摺動部１８の矩形開口部２１内に摺動可能に取り付けられる第二摺動部２０を備えており、ここで、該第二摺動部２０の形状は、第一摺動部１８の矩形開口部２１に適合するものであることが好ましい。第二摺動部２０が上面を摺動する第一摺動部１８の矩形開口部２１の主軸線は、第一摺動部１８が上面を摺動する球形レースウェイ１６の矩形開口部１９の主軸線に直交していることが好ましい。さらに、連結アセンブリ１７は、第二摺動部２０の中央に位置し、かつピペット４の支持アセンブリ３と空気チューブ１３とに接続される接続部１２を備えており、また該連結アセンブリ１７は、支持アセンブリ３に近接する下端側に、雄ネジを有する円筒部１４を備えている。ピペット４の支持アセンブリ３は、連結アセンブリ１７（the connecting assembly (9) は the connecting assembly (17) の誤記）の円筒部１４にネジ締めされる雌ネジを有するキャップ１５を用いることにより、ハウジング１の端部７にある球形レースウェイ１６に据え付けられる。
【００１８】
支持アセンブリ３のキャップ１５は、ハンドル２に関係付けられるピペット４の定着位置で、固くネジ締めされることによって、ハウジング１の端部７にて球形レースウェイ１６に押し付けられる。
【００１９】
本発明にかかる上述の実施形態例に基づいて、明細書中に開示された本発明の本質的部分及び添付された特許請求の範囲に照らして明らかとなるものであって、本発明の範囲内に含まれる様々な変更、修正及び改良を行うことが可能である。
【図面の簡単な説明】
【００２０】
明細書中に取り入れられ、その一部分を構成する添付図面は、本発明にかかる実施例を明示するものであって、その記述と合わせて、本発明の本質的部分を説明するために役立つものである。
【図１】円筒形レースウェイを備えたピペッティング装置を示す部分断面図である。
【図２】図１にかかる装置の連結アセンブリを示す説明図である。
【図３】球形レースウェイを備えたピペッティング装置を示す部分断面図である。
【図４】図示された両装置に共通する要素を同一の符号を用いて表したものであって、図３にかかる装置の連結アセンブリを示す説明図である。
【図１】
2006513842.tif 000003
【図２】
2006513842.tif 000004
【図３】
2006513842.tif 000005
【図４】
2006513842.tif 000006
【国際調査報告】
2006513842.tif 000007
2006513842.tif 000008